(57)【特許請求の範囲】
【請求項１】
筐体内に配設された紫外線ランプと、該筐体内に引き出し可能に設けられたキャリッジと、該キャリッジ上に載置されて筐体内の紫外線ランプと対向配置されるインプラント保持体とからなり、紫外線によりインプラントの有機汚染物除去を行うためのインプラント用紫外線照射装置において、
前記インプラント保持体が、複数のインプラントが直線上に並べて配置されるインプラント支持台と、当該インプラント支持台が着脱自在に載置される載置台とからなり、
前記インプラント保持体は、前記紫外線ランプからの照射紫外線の有効照射領域を確認する有効照射領域確認手段を有し、
前記有効照射領域確認手段が、
前記インプラント保持体に形成された前記有効照射領域の長手方向の範囲を決定する標識と、
前記載置台に設けられた把手に形成された前記有効照射領域の垂直方向の範囲の長さを決定する標識と、
からなることを特徴とするインプラント用紫外線照射装置。
【請求項２】
前記有効照射領域確認手段における前記有効照射領域の長手方向の範囲を決定する標識が、前記インプラント支持台の構造体の長手方向長さであることを特徴とする請求項１に記載のインプラント用紫外線照射装置。
【請求項３】
筐体内に配設された紫外線ランプと、該筐体内に引き出し可能に設けられたキャリッジと、該キャリッジ上に載置されて筐体内の紫外線ランプと対向配置されるインプラント保持体とからなり、紫外線によりインプラントの有機汚染物除去を行うためのインプラント用紫外線照射装置において、
前記インプラント保持体が、複数のインプラントが直線上に並べて配置されるインプラント支持台と、当該インプラント支持台が着脱自在に載置される載置台とからなり、
前記インプラント保持体は、前記紫外線ランプからの照射紫外線の有効照射領域を確認する有効照射領域確認手段を有し、
前記有効照射領域確認手段が、前記載置台に着脱自在に取り付けられる板状体であって、該板状体には、前記有効照射領域に対応した開口が形成されていることを特徴とするインプラント用紫外線照射装置。
【請求項４】
筐体内に配設された紫外線ランプと、該筐体内に引き出し可能に設けられたキャリッジと、該キャリッジ上に載置されて筐体内の紫外線ランプと対向配置されるインプラント保持体とからなり、紫外線によりインプラントの有機汚染物除去を行うためのインプラント用紫外線照射装置において、
前記インプラント保持体が、複数のインプラントが直線上に並べて配置されるインプラント支持台と、当該インプラント支持台が着脱自在に載置される載置台とからなり、
前記インプラント保持体は、前記紫外線ランプからの照射紫外線の有効照射領域を確認する有効照射領域確認手段を有し、
前記有効照射領域確認手段が、前記載置台に着脱自在に取り付けられる透光性板状体であって、該板状体には、前記有効照射領域に対応した標識が形成されていることを特徴とするインプラント用紫外線照射装置。
【発明の詳細な説明】
【技術分野】
【０００１】
この発明は、インプラントに紫外線を照射してその有機汚染物除去を行うインプラント用紫外線照射装置に関するものであり、特に、紫外線ランプを利用してデンタルインプラントの有機汚染物除去を行うインプラント用紫外線照射装置に係わるものである。
【背景技術】
【０００２】
インプラント、特にデンタルインプラントは失われた歯の機能を代用させることを目的として顎骨に埋め込まれるものであり、そのデンタルインプラント手術においては、デンタルインプラントが十分に骨と結合（オッセオインテグレーション）することが肝要である。そのために、例えば、特許第３０７２３０３号公報（特許文献１）の段落０００９には、デンタルインプラントに紫外線を照射することによって、当該デンタルインプラントに付着した有機汚染物を除去することが提案されている。
これを実現した具体的な装置としては、特開２０１２−１５７４１３号公報（特許文献２）に記載されている装置が開発されている。
【０００３】
図５に、上記引用文献２に開示された従来のインプラント用紫外線照射装置が示されている。
このインプラント用紫外線照射装置は、開閉扉２を有する筐体１と、該筐体１内に配設された一対の紫外線ランプ３，３とを有し、前記筐体１内には開閉扉２と一体化された引き出し可能なキャリッジ４が配設され、このキャリッジ４上にはインプラント保持体５が載置されている。
そして、このインプラント保持体５は、前記キャリッジ４に着脱自在に載置される載置台６と、この載置台６に着脱自在に載置されるインプラント支持台７とからなる。
【０００４】
前記載置台６には、把手８が設けられており、インプラント支持台７上には処理対象の複数本のインプラント１０、１０が、前記紫外線ランプ３の長手方向に沿うように直線状にセットされている。このような構成とすることで、前記把手８が設けられた載置台６を不潔域とし、インプラント１０がセットされたインプラント支持台７を清潔域として区分している。
このように、インプラント保持体５を清潔域と不潔域とに分割して、インプラント保持体５の出し入れには、載置台６側（不潔域）を取扱うことで、清潔域にあるインプラント支持台７上のインプラント１０には手が触れることがなく清潔状態が保たれ、照射処理後の再汚染のおそれがない構造とされている。
【０００５】
このインプラント用紫外線照射装置では、インプラント１０がセットされたインプラント保持体５がキャリッジ４上に載置された状態で、開閉扉２が閉じられてキャリッジ４が筐体１内に収容されたとき、インプラント保持体５上に直線状に配設されたインプラント１０は一対の紫外線ランプ３，３間に位置して、これと対向配置されるものである。
インプラント１０は、紫外線ランプ３からの、例えば、１７２ｎｍや、２５４ｎｍの紫外線が所定の時間、照射される。照射処理後は、ファン１１が回転し、筐体１内のガスが循環して、オゾン除去手段１２によってオゾンの除去処理が行われるものである。
【０００６】
ところで、このようなインプラント用紫外線照射装置に用いられる紫外線ランプには一定の照度分布があり、また、筐体内には、紫外線ランプの破損時の破片飛散防止するための保護カバーが設けられている場合もあり、それぞれの装置において、インプラントの有機物除去を効果的に行うために、必要な紫外線照射強度を得ることができる領域（有効照射領域）は、処理室の中でも限られた範囲になる。
一方で、インプラントには様々な形状のものがあり、この紫外線照射装置が用いられる使用現場（医療機関）においては、このような様々な形状のインプラントを同時的に使用することが日常的に行われている。
【０００７】
このような状況にあっては、図７に示すように、例えば、長さの異なるインプラントをインプラント支持台７上にセットした場合、長いインプラントではその一部（上部）が有効照射領域Ｘからはみ出し、短いものでは、有効照射領域Ｘに届かないものがでてくる。
また、複数本のインプラントを直線状に配列してセットしたとき、両端部に位置するインプラントが有効照射領域Ｘからはみ出す恐れもある。
このように、インプラント支持台上にセットしたインプラントの一部が照射紫外線の有効照射領域に存在しないことを認識できずに紫外線処理を行ったとき、すべてのインプラントの有機物除去処理が行われたものと誤認してしまうという問題がある。
そして、従来の装置においては、処理対象のインプラントがこの有効照射領域にあることを確認する手立てがなく、上記問題点は深刻なものとなっていた。
【先行技術文献】
【特許文献】
【０００８】
【特許文献１】特許第３０７２３０３号公報
【特許文献２】特開２０１２−１５７４１３号公報
【発明の概要】
【発明が解決しようとする課題】
【０００９】
この発明が解決しようとする課題は、筐体内に配設された紫外線ランプと、該筐体内に引き出し可能に設けられたキャリッジと、該キャリッジ上に載置されて筐体内の紫外線ランプと対向配置されるインプラント保持体とからなり、紫外線によりインプラントの有機汚染物除去を行うためのインプラント用紫外線照射装置において、インプラント保持体に保持されたインプラントが紫外線ランプからの照射紫外線の有効照射領域内にあることを事前に確認して、すべてのインプラントが完全に有機汚染物の除去が行われるようにした構造を提供することである。
【課題を解決するための手段】
【００１０】
上記課題を解決するために、この発明に係るインプラント用紫外線照射装置は、前記インプラント保持体が、前記紫外線ランプからの照射紫外線の有効照射領域を確認する有効照射領域確認手段を有することを特徴とする。
また、前記インプラント保持体が、複数のインプラントが直線上に並べて配置されるインプラント支持台と、当該インプラント支持台が着脱自在に載置される載置台とからなり、前記有効照射領域確認手段が、前記インプラント保持体に形成された前記有効照射領域の長手方向の範囲を決定する標識と、前記載置台に設けられた把手に形成された前記有効照射領域の垂直方向の範囲の長さを決定する標識と、からなることを特徴とする。
また、前記有効照射領域確認手段における前記有効照射領域の長手方向の範囲を決定する標識が、前記インプラント支持台の構造体の長手方向長さであることを特徴とする。
また、前記有効照射領域確認手段が、前記載置台に着脱自在に取り付けられる板状体であって、該板状体には、前記有効照射領域に対応した開口が形成されていることを特徴とする。
また、前記有効照射領域確認手段が、前記載置台に着脱自在に取り付けられる透光性板状体であって、該板状体には、前記有効照射領域に対応した標識が形成されていることを特徴とする。
【発明の効果】
【００１１】
本発明のインプラント用紫外線照射装置によれば、前記紫外線ランプからの照射紫外線の有効照射領域を確認する有効照射領域確認手段を有することにより、インプラント支持台上にセットされたインプラントの全てが、有効照射領域内あることを照射処理前に確認することができ、インプラントの有機汚染物除去作業が全て洩れなく完全に行われるものとなる。
【図面の簡単な説明】
【００１２】
【図１】本発明のインプラント用紫外線照射装置における要部の正面図。
【図２】第２の実施例の正面断面図。
【図３】第３の実施例の正面断面図。
【図４】第４の実施例の正面図。
【図５】従来のインプラント用紫外線照射装置の断面図。
【図６】図５の横断面図。
【図７】従来例の不具合の説明図。
【発明を実施するための形態】
【００１３】
図１に示されるように、本発明のインプラント用紫外線照射装置では、インプラント保持体５における載置台６の長手方向側面６ａには、基本的には紫外線ランプによって決定される有効照射領域Ｘの長手方向の範囲（長さ）Ｘａに対応する箇所に長手方向の標識２０が形成されている。この標識２０は、適宜の塗料などによる印でもよいし、溝を刻設するものであってもよい。
なお、ここで、長手方向とは、図５に見られる複数のインプラント１０，１０の直線的な配列方向に沿った方向をいい、紫外線ランプ３の延在する方向でもある。
そして、当該載置台６に設けられた把手８には、前記有効照射領域Ｘの垂直方向の範囲（長さ）Ｘｂに対応する箇所に垂直方向の標識２１が形成されている。
これらの長手方向の標識２０と垂直方向の標識２１とによって有効照射領域Ｘが画成され、有効照射領域確認手段２５を形成している。
これによって、処理対象であるインプラント１０，１０の全てが有効照射領域Ｘ内にあることを確認できる。
【００１４】
図２には、前記標識２０，２１が他の手段で形成される第２の実施例が示されており、長手方向の標識２０が、載置台６上に載置されたインプラント支持台７の長手方向の全体長さによって形成されている。
そして、垂直方向の標識２１が、把手８の握り部８ａの全長によって形成されている。
【００１５】
図３の第３の実施例では、長手方向の標識２０は、インプラント支持台７に形成された段部７ａの長手方向の長さによって形成されている。
前記の図２に示される第２の実施例や図３に示される第３の実施例では、インプラント支持台７の構造体の長さ方向の寸法を有効照射領域Ｘの長手方向の長さＸａと等しく形成するものである。
【００１６】
以上の各実施例においては、紫外線照射処理に先立って、インプラント保持体５のインプラント支持台７にインプラント１０をセットし、これを載置台６上に載置した段階で、長手方向の標識２０と、垂直方向の標識２１とからなる有効照射領域確認手段２５によって有効照射領域Ｘを画定し、全てのインプラント１０がこの有効照射領域Ｘ内にあるか否かを確認し、確認後に、筐体内に収容されて紫外線照射処理が行われるものである。
【００１７】
図４には更に他の第４の実施例が示されており、図４（Ａ）は正面図、図４（Ｂ）はその側面図である。
この実施例では、有効照射領域確認手段２５は、板状体２２からなり、この板状体２２には、前記有効照射領域Ｘに対応した開口２３が形成されている。この板状体２２は載置台６に対して着脱自在に装着される。
この実施例では、紫外線照射処理に先立って、インプラント１０がセットされたインプラント支持台７を載置台６に載置した段階で、この載置台６に板状体２２を装着し、その開口２３によって画成される有効照射領域Ｘ内にインプラント１０があるか否かを確認するものである。
確認後に、板状体２２を載置台６から取り外し、インプラント保持体５を筐体内に収容して紫外線照射処理を行うものである。
【００１８】
なお、上記第４の実施例において、板状体２２を透光性板状体とし、これに有効照射領域Ｘに対応した標識を形成したものであってもよい。この標識も前述と同様に、塗料などによる描画でもよいし、溝を刻設するものであってもよい。
【００１９】
以上説明したように、本発明のインプラント用紫外線照射装置においては、インプラント保持体が、紫外線ランプからの照射紫外線の有効照射領域を確認する有効照射領域確認手段を有する構成としたことにより、紫外線照射処理に先立って、インプラントをインプラント支持体にセットした段階で、紫外線ランプの有効照射領域内にインプラントが存在するかどうかを判別することができるので、インプラント支持体上のインプラントが筐体内の紫外線ランプに対応した位置に収容されたときに、全てのインプラントが洩れなく紫外線照射されて、有機汚染物除去が完全に行われるものである。
【符号の説明】
【００２０】
１      筐体
２      開閉扉
３      紫外線ランプ
４      キャリッジ
５      インプラント保持体
６      載置台
７      インプラント支持台
８      把手
１０    インプラント
２０    長手方向の標識
２１    垂直方向の標識
２２    板状体
２３    開口
２５    有効照射領域確認手段
Ｘ      有効照射領域
Ｘａ    有効照射領域の長手方向の範囲（長さ）
Ｘｂ    有効照射領域の垂直方向の範囲（長さ）
【図１】
0006048915.tif 000002
【図２】
0006048915.tif 000003
【図３】
0006048915.tif 000004
【図４】
0006048915.tif 000005
【図５】
0006048915.tif 000006
【図６】
0006048915.tif 000007
【図７】
0006048915.tif 000008